(57)【要約】【課題】浸漬膜ろ過装置の浸漬膜を薬液中で洗浄する方法において、膜の二次側の汚染を効率的に抑制することができる浸漬膜ろ過装置および浸漬膜ろ過装置の運転方法を提供する。【解決手段】浸漬槽１２に設置された浸漬膜１６によって膜ろ過処理を行う膜ろ過装置１０と、浸漬槽１２に薬剤を導入して薬液中で浸漬膜を洗浄する薬液洗浄手段と、浸漬膜１６の二次側を加圧して保持する加圧手段と、を備える、浸漬膜ろ過装置１である。【選択図】図１
2020131143.tif 000002
【特許請求の範囲】
【請求項１】
浸漬槽に設置された浸漬膜によって膜ろ過処理を行う膜ろ過装置と、
前記浸漬槽に薬剤を導入して薬液中で浸漬膜の洗浄を行う薬液洗浄手段と、
前記浸漬膜の二次側を加圧して保持する加圧手段と、
を備えることを特徴とする浸漬膜ろ過装置。
【請求項２】
請求項１に記載の浸漬膜ろ過装置であって、
前記浸漬槽に中和剤を導入して前記薬液の中和処理を行う中和手段をさらに備え、
前記薬液洗浄手段による洗浄、前記加圧手段による加圧の後に、前記中和手段による中和処理が行われることを特徴とする浸漬膜ろ過装置。
【請求項３】
請求項２に記載の浸漬膜ろ過装置であって、
前記薬液洗浄手段による洗浄、前記加圧手段による加圧、前記中和手段による中和処理の順に行われることを特徴とする浸漬膜ろ過装置。
【請求項４】
請求項２に記載の浸漬膜ろ過装置であって、
前記加圧手段による加圧、前記薬液洗浄手段による洗浄、前記中和手段による中和処理の順に行われることを特徴とする浸漬膜ろ過装置。
【請求項５】
請求項３または４に記載の浸漬膜ろ過装置であって、
前記膜ろ過処理により得られた処理水を、前記浸漬膜の二次側から一次側へ供給して逆洗を行う逆洗手段をさらに備え、
前記逆洗手段による逆洗が、前記加圧手段による加圧の前に行われることを特徴とする浸漬膜ろ過装置。
【請求項６】
浸漬槽に設置された浸漬膜によって膜ろ過処理を行う膜ろ過工程と、
前記浸漬槽に薬剤を導入して薬液中で浸漬膜の洗浄を行う薬液洗浄工程と、
前記浸漬膜の二次側を加圧して保持する加圧工程と、
を含むことを特徴とする浸漬膜ろ過装置の運転方法。
【請求項７】
請求項６に記載の浸漬膜ろ過装置の運転方法であって、
前記浸漬槽に中和剤を導入して前記薬液の中和処理を行う中和工程をさらに含み、
前記薬液洗浄工程、前記加圧工程の後に、前記中和工程を行うことを特徴とする浸漬膜ろ過装置の運転方法。
【請求項８】
請求項７に記載の浸漬膜ろ過装置の運転方法であって、
前記薬液洗浄工程、前記加圧工程、前記中和工程の順に行うことを特徴とする浸漬膜ろ過装置の運転方法。
【請求項９】
請求項７に記載の浸漬膜ろ過装置の運転方法であって、
前記加圧工程、前記薬液洗浄工程、前記中和工程の順に行うことを特徴とする浸漬膜ろ過装置の運転方法。
【請求項１０】
請求項８または９に記載の浸漬膜ろ過装置の運転方法であって、
前記膜ろ過処理により得られた処理水を、前記浸漬膜の二次側から一次側へ供給して逆洗を行う逆洗工程をさらに含み、
前記逆洗工程を、前記加圧工程の前に行うことを特徴とする浸漬膜ろ過装置の運転方法。
【発明の詳細な説明】
【技術分野】
【０００１】
本発明は、浸漬膜を用いて固液分離を行う浸漬膜ろ過装置およびその浸漬膜ろ過装置の運転方法に関する。
【背景技術】
【０００２】
被処理水中の金属、有機物等の懸濁物質を固液分離する方法として、槽内に膜を浸漬させた浸漬膜により膜ろ過処理を行って固液分離する方法がある。
【０００３】
このような浸漬膜を用いて固液分離を行う方法において、固液分離により浸漬膜に付着した懸濁物質等を除去するため、浸漬膜の洗浄が必要となる。浸漬膜の洗浄方法として、槽内で膜の二次側から一次側に逆洗水を通水して膜表面の付着物を洗浄する逆洗や、次亜塩素酸ナトリウム等のアルカリ性の薬剤を加えた逆洗水により逆洗を行う化学的強化逆洗（Ｃｈｅｍｉｃａｌ  Ｅｎｈａｎｃｅｄ  Ｂａｃｋｗａｓｈ）や、浸漬膜を設置している浸漬槽に薬剤を導入して、薬液中で浸漬膜を洗浄する方法（例えば、特許文献１参照）等が知られている。
【０００４】
薬液中で浸漬膜を洗浄する方法において、膜を薬液に浸漬させると、膜に付着していた金属や有機物等が薬液へと溶解し、膜の一次側の薬液が自然拡散により膜の二次側へ移動して、膜の二次側が汚染されることがある。特に膜に金属が付着していた場合、薬液洗浄後に膜を浸漬させた薬液の中和処理を行うと、膜の二次側にて金属が析出して、膜の二次側の汚染や、薬液洗浄後に膜ろ過処理を再開すると処理水が汚染され、薬品洗浄効果の低減を招くことがある。中和処理後に、膜の二次側に残留した薬液をブローする方法もあるが、ブローにより排出される排水量が増加してしまう。
【先行技術文献】
【特許文献】
【０００５】
【特許文献１】特開２００８−１１４１５４号公報
【発明の概要】
【発明が解決しようとする課題】
【０００６】
本発明の目的は、浸漬膜ろ過装置の浸漬膜を薬液中で洗浄する方法において、膜の二次側の汚染を効率的に抑制することができる浸漬膜ろ過装置および浸漬膜ろ過装置の運転方法を提供することにある。
【課題を解決するための手段】
【０００７】
本発明は、浸漬槽に設置された浸漬膜によって膜ろ過処理を行う膜ろ過装置と、前記浸漬槽に薬剤を導入して薬液中で浸漬膜の洗浄を行う薬液洗浄手段と、前記浸漬膜の二次側を加圧して保持する加圧手段と、を備える、浸漬膜ろ過装置である。
【０００８】
前記浸漬膜ろ過装置において、前記浸漬槽に中和剤を導入して前記薬液の中和処理を行う中和手段をさらに備え、前記薬液洗浄手段による洗浄、前記加圧手段による加圧の後に、前記中和手段による中和処理が行われることが好ましい。
【０００９】
前記浸漬膜ろ過装置において、前記薬液洗浄手段による洗浄、前記加圧手段による加圧、前記中和手段による中和処理の順に行われることが好ましい。
【００１０】
前記浸漬膜ろ過装置において、前記加圧手段による加圧、前記薬液洗浄手段による洗浄、前記中和手段による中和処理の順に行われることが好ましい。
【００１１】
前記浸漬膜ろ過装置において、前記膜ろ過処理により得られた処理水を、前記浸漬膜の二次側から一次側へ供給して逆洗を行う逆洗手段をさらに備え、前記逆洗手段による逆洗が、前記加圧手段による加圧の前に行われることが好ましい。
【００１２】
本発明は、浸漬槽に設置された浸漬膜によって膜ろ過処理を行う膜ろ過工程と、前記浸漬槽に薬剤を導入して薬液中で浸漬膜の洗浄を行う薬液洗浄工程と、前記浸漬膜の二次側を加圧して保持する加圧工程と、を含む、浸漬膜ろ過装置の運転方法である。
【００１３】
前記浸漬膜ろ過装置の運転方法において、前記浸漬槽に中和剤を導入して前記薬液の中和処理を行う中和工程をさらに含み、前記薬液洗浄工程、前記加圧工程の後に、前記中和工程を行うことが好ましい。
【００１４】
前記浸漬膜ろ過装置の運転方法において、前記薬液洗浄工程、前記加圧工程、前記中和工程の順に行うことが好ましい。
【００１５】
前記浸漬膜ろ過装置の運転方法において、前記加圧工程、前記薬液洗浄工程、前記中和工程の順に行うことが好ましい。
【００１６】
前記浸漬膜ろ過装置の運転方法において、前記膜ろ過処理により得られた処理水を、前記浸漬膜の二次側から一次側へ供給して逆洗を行う逆洗工程をさらに含み、前記逆洗工程を、前記加圧工程の前に行うことが好ましい。
【発明の効果】
【００１７】
本発明によって、浸漬膜ろ過装置の浸漬膜を薬液中で洗浄する方法において、膜の二次側の汚染を効率的に抑制することができる。
【図面の簡単な説明】
【００１８】
【図１】本発明の実施形態に係る浸漬膜ろ過装置の一例を示す概略構成図である。
【発明を実施するための形態】
【００１９】
本発明の実施の形態について以下説明する。本実施形態は本発明を実施する一例であって、本発明は本実施形態に限定されるものではない。
【００２０】
本発明の実施形態に係る浸漬膜ろ過装置の一例の概略を図１に示し、その構成について説明する。
【００２１】
図１の浸漬膜ろ過装置１は、浸漬槽１２に設置された浸漬膜１６によって膜ろ過処理を行う膜ろ過装置１０を備える。浸漬膜ろ過装置１は、処理水を貯留する処理水槽１４を備えてもよい。
【００２２】
図１の浸漬膜ろ過装置１において、浸漬槽１２の被処理水入口には、被処理水配管２２が接続されている。浸漬槽１２の内部には浸漬膜１６が設置され、浸漬膜１６の二次側と処理水槽１４の処理水入口とは、ポンプ１８、バルブ３０を介して処理水配管２４により接続されている。処理水槽１４の逆洗水出口と、処理水配管２４におけるポンプ１８の上流側とは、ポンプ２０、バルブ３２を介して逆洗水配管２８により接続されている。浸漬槽１２の下部には、浸漬槽１２内の排水等を排出する排出配管２６が接続されている。浸漬槽１２には、浸漬槽１２に薬剤を導入する薬剤導入配管３４と、浸漬槽１２に中和剤を導入する中和剤導入配管３６とが接続されている。空気等の気体を浸漬膜１６の二次側へ導入し加圧して保持する加圧手段として気体供給装置３８が、気体供給配管４０により処理水配管２４におけるポンプ１８の上流側と接続されている。処理水配管２４における気体供給配管４０の接続点の上流側には、圧力測定手段として圧力測定装置４２が設置されている。
【００２３】
本実施形態に係る浸漬膜ろ過装置の運転方法および浸漬膜ろ過装置１の動作について説明する。
【００２４】
＜膜ろ過工程＞
金属、有機物等の懸濁物質等を含む被処理水は、被処理水配管２２を通して浸漬槽１２へと送られる。浸漬槽１２において、被処理水に浸漬させた浸漬膜１６を用いて、被処理水の固液分離が行われる（膜ろ過工程）。バルブ３０が開状態、バルブ３２が閉状態とされ、被処理水は、ポンプ１８によって浸漬膜１６の外側（一次側）から内側（二次側）へと吸引され、被処理水に含まれる金属、有機物等の懸濁物質等がろ過される。膜ろ過処理された処理水は、処理水配管２４を通して処理水槽１４へと送られる。
【００２５】
処理対象である被処理水は、例えば、金属、有機物等の懸濁物質等を含む水であり、例えば、河川水、工業用水、地下水、排水等が挙げられる。
【００２６】
被処理水のＳＳは、例えば、１〜１０００ｍｇ／Ｌの範囲であり、ＴＯＣは、例えば、０．５〜１０ｍｇ／Ｌの範囲であり、金属含有量は、例えば、０．０１〜１ｍｇ／Ｌの範囲である。
【００２７】
得られる処理水のＳＳは、例えば、１ｍｇ／Ｌ未満であり、ＴＯＣは、例えば、０．５〜１０ｍｇ／Ｌの範囲であり、金属含有量は、例えば、０．０１〜０．１ｍｇ／Ｌの範囲である。
【００２８】
膜ろ過工程における液温度は、特に制限はなく、例えば、０〜３０℃の範囲である。粘性等によって膜間差圧が変わるため、運転管理をする際には、膜間差圧を水温で補正することが望ましい。
【００２９】
浸漬膜１６としては、被処理水中の懸濁物質等をろ過することができるものであればよく、特に制限はない。浸漬膜１６としては、例えば、セラミック製等の無機膜、ポリフッ化ビニリデン（ＰＶＤＦ）製、ポリエーテルサルフォン（ＰＥＳ）製、ポリテトラフルオロエチレン（ＰＴＦＥ）製、酢酸セルロース（ＣＡ）製、ポリエチレン（ＰＥ）製等の有機膜等の平膜等が挙げられる。セラミック製の無機膜は、例えば、アルミナ、シリカ、チタニア、ジルコニア、ムライト、スピネル、またはこれらの混合物等の無機膜である。浸漬膜１６は、親水性が高く、有機物の閉塞物質が付着しにくいこと、薬品洗浄による劣化が有機膜に比べて小さい等の点から、セラミック製の無機膜であることが好ましい。
【００３０】
浸漬槽１２内のｐＨは、例えば、１〜１３の範囲に調整すればよい。ｐＨを調製するためのｐＨ調整剤が浸漬槽１２に添加されてもよい。塩酸、硫酸等の酸を使用した場合にはｐＨ１〜３、水酸化ナトリウム等のアルカリ等を使用した場合にはｐＨ９〜１３に調整することで薬品洗浄の効果が高まる。
【００３１】
＜洗浄工程＞
ろ過の進行に伴い、浸漬膜１６の表面には金属、有機物等の懸濁物質等が堆積し、ろ過抵抗が発生する。この場合、例えば、以下の洗浄方法１〜４のうちの少なくとも１つの方法によって、浸漬膜１６の洗浄が行われる（洗浄工程）。なお、下記洗浄方法１〜４において、上記膜ろ過工程で用いた浸漬槽１２内で浸漬膜１６の洗浄を行っているが、上記膜ろ過工程で用いた浸漬槽１２とは別の槽を洗浄工程用の浸漬槽として用いてもよい。
【００３２】
［洗浄方法１］
（１．薬液洗浄工程）
まず、浸漬槽１２に薬剤導入配管３４を通して洗浄用の薬剤が導入されて薬液が調製され、薬液中で浸漬膜１６の浸漬膜の洗浄が行われる（薬液洗浄工程）。所定の時間、浸漬膜１６を薬液に浸漬することによって、膜の洗浄が行われる。このとき、浸漬膜１６の一次側において金属、有機物等の少なくとも一部は薬液に溶解し、金属、有機物等が溶解した一次側の薬液は、自然拡散により浸漬膜１６の二次側へ移動することがある。薬液洗浄工程において、浸漬槽１２、薬剤導入配管３４が薬液洗浄手段として機能することになる。なお、薬液洗浄工程において、別途調製された薬液が薬剤導入配管３４を通して浸漬槽１２に導入されてもよい。
【００３３】
薬剤としては、浸漬膜１６の洗浄効果を高めることができるものであればよく、特に制限はないが、例えば、シュウ酸、クエン酸、塩酸、硫酸、硝酸等の酸性の薬剤等が挙げられる。
【００３４】
薬液中の洗浄用の薬剤は、例えば、ｐＨが１〜３の範囲となるように添加することが好ましい。薬液を添加した洗浄液中のｐＨが１未満であると、膜自体や膜周辺部材の劣化を招く場合があり、ｐＨが３を超えると、十分な洗浄効果が得られない場合がある。
【００３５】
（２．逆洗工程）
薬液洗浄工程後、例えば、バルブ３０が閉状態、バルブ３２が開状態とされ、処理水が逆洗水として処理水槽１４からポンプ２０により逆洗水配管２８、処理水配管２４を通して浸漬膜１６の二次側から一次側へ通水されて逆洗が行われる（逆洗工程）。この場合、ポンプ２０、逆洗水配管２８、処理水配管２４が逆洗手段として機能することになる。逆洗水として、処理水以外の水を使用してもよい。
【００３６】
（３．加圧工程）
逆洗工程後、例えば、バルブ３０、バルブ３２が閉状態とされ、気体供給装置３８によって気体が気体供給配管４０、処理水配管２４を通して浸漬膜１６の二次側から供給されて浸漬膜１６の二次側が加圧されて保持される（加圧工程）。この場合、気体供給装置３８、気体供給配管４０、処理水配管２４が加圧手段として機能することになる。加圧は、例えば、浸漬膜１６が浸漬されている水頭圧以上の圧力となるまで行わればよい。加圧の上限は、例えば、１００ｋＰａである。加圧は、水頭圧以上、膜の耐久圧力以下に調整することが望ましい。圧力は、例えば圧力測定装置４２により測定される。気体としては、例えば、空気等が挙げられる。
【００３７】
これによって、浸漬膜１６の二次側に存在する液体は浸漬膜１６の一次側へと押し出される。気体は浸漬膜１６の細孔をほとんど透過しないため、浸漬膜１６の二次側の圧力を保持すれば、浸漬膜１６の二次側は気体で満たされた状態を維持することができる。
【００３８】
（４．中和工程）
加圧工程後、浸漬膜１６の二次側が気体で満たされた状態で、例えば、浸漬槽１２に中和剤導入配管３６を通して中和剤が導入されて薬液の中和処理が行われる（中和工程）。この場合、浸漬槽１２、中和剤導入配管３６が中和手段として機能することになる。
【００３９】
中和剤としては、例えば、水酸化ナトリウム溶液、水酸化カルシウム溶液等のアルカリ性の薬剤等が挙げられる。中和は、中和後の処理に応じて変えればよいが、例えば、ｐＨ５〜８の範囲になるまで行えばよい。
【００４０】
中和処理を確認後、浸漬槽１２から洗浄排液が排出配管２６を通して排出される。洗浄工程が終了後、膜ろ過工程に戻ればよい。
【００４１】
［洗浄方法２］
（１．薬液洗浄工程）
まず、浸漬槽１２に薬剤導入配管３４を通して洗浄用の薬剤が導入されて薬液が調製され、薬液中で浸漬膜１６の浸漬膜の洗浄が行われる（薬液洗浄工程）。所定の時間、浸漬膜１６を薬液に浸漬することによって、膜の洗浄が行われる。このとき、浸漬膜１６の一次側において金属、有機物等の少なくとも一部は薬液に溶解し、金属、有機物等が溶解した一次側の薬液は、自然拡散により浸漬膜１６の二次側へも移動することがある。薬液洗浄工程において、浸漬槽１２、薬剤導入配管３４が薬液洗浄手段として機能することになる。なお、薬液洗浄工程において、別途調製された薬液が薬剤導入配管３４を通して浸漬槽１２に導入されてもよい。
【００４２】
（２．加圧工程）
薬液洗浄工程後、例えば、バルブ３０、バルブ３２が閉状態とされ、気体供給装置３８によって気体が気体供給配管４０、処理水配管２４を通して浸漬膜１６の二次側から供給されて浸漬膜１６の二次側が加圧されて保持される（加圧工程）。この場合、気体供給装置３８、気体供給配管４０、処理水配管２４が加圧手段として機能することになる。加圧は、例えば、浸漬膜１６が浸漬されている水頭圧以上の圧力となるまで行わればよい。
【００４３】
これによって、浸漬膜１６の二次側に存在する液体は浸漬膜１６の一次側へと押し出される。気体は浸漬膜１６の細孔をほとんど透過しないため、浸漬膜１６の二次側の圧力を保持すれば、浸漬膜１６の二次側は気体で満たされた状態を維持することができる。
【００４４】
（３．中和工程）
加圧工程後、浸漬膜１６の二次側が気体で満たされた状態で、例えば、浸漬槽１２に中和剤導入配管３６を通して中和剤が導入されて薬液の中和処理が行われる（中和工程）。この場合、浸漬槽１２、中和剤導入配管３６が中和手段として機能することになる。
【００４５】
中和処理を確認後、浸漬槽１２から洗浄排液が排出配管２６を通して排出される。洗浄工程が終了後、膜ろ過工程に戻ればよい。
【００４６】
洗浄方法１，２では、薬液洗浄手段による洗浄（薬液洗浄工程）、加圧手段による加圧（加圧工程）、中和手段による中和処理（中和工程）の順に処理が行われる。洗浄方法１では、逆洗手段による逆洗（逆洗工程）が、加圧手段による加圧（中和工程）の前（すなわち、薬液洗浄手段による洗浄（薬液洗浄工程）と加圧手段による加圧（加圧工程）との間）に行われる。浸漬膜１６の薬液洗浄として、浸漬槽１２にて薬液浸漬洗浄を実施した後、浸漬膜１６の二次側を気体で加圧して浸漬膜１６の二次側の薬液を一次側に押し出し、浸漬膜１６の二次側を気体で満たした状態で中和処理を行う。中和処理の前に浸漬膜１６の二次側の液体を一次側に押し出しておくことで、浸漬槽１２内が有機物や中和された際に析出する金属等によって浸漬膜１６の二次側が汚染されることが抑制される。薬液洗浄後に膜ろ過処理を再開したとき、処理水の汚染が抑制され、浸漬膜１６の二次側に残留した薬液をブローする場合に比べて、ブローにより排出される排水量を削減することができる。
【００４７】
［洗浄方法３］
（１．逆洗工程）
まず、例えば、バルブ３０が閉状態、バルブ３２が開状態とされ、処理水が逆洗水として処理水槽１４からポンプ２０により逆洗水配管２８、処理水配管２４を通して浸漬膜１６の二次側から一次側へ通水されて逆洗が行われる（逆洗工程）。この場合、ポンプ２０、逆洗水配管２８、処理水配管２４が逆洗手段として機能することになる。この逆洗工程では、主に浸漬膜１６の一次側に付着した付着物が剥離される。逆洗水として、処理水以外の水を使用してもよい。
【００４８】
（２．加圧工程）
逆洗工程後、例えば、バルブ３０、バルブ３２が閉状態とされ、気体供給装置３８によって気体が気体供給配管４０、処理水配管２４を通して浸漬膜１６の二次側から供給されて浸漬膜１６の二次側が加圧されて保持される（加圧工程）。この場合、気体供給装置３８、気体供給配管４０、処理水配管２４が加圧手段として機能することになる。加圧は、例えば、浸漬膜１６が浸漬されている水頭圧以上の圧力となるまで行わればよい。
【００４９】
これによって、浸漬膜１６の二次側に存在する液体は浸漬膜１６の一次側へと押し出される。気体は浸漬膜１６の細孔をほとんど透過しないため、浸漬膜１６の二次側の圧力を保持すれば、浸漬膜１６の二次側は気体で満たされた状態を維持することができる。
【００５０】
（３．薬液洗浄工程）
加圧工程後、浸漬膜１６の二次側が気体で満たされた状態で、浸漬槽１２に薬剤導入配管３４を通して洗浄用の薬剤が導入されて薬液が調製され、薬液中で浸漬膜１６の浸漬膜の洗浄が行われる（薬液洗浄工程）。このとき、浸漬膜１６の一次側の薬液は、浸漬膜１６の二次側へ移動しにくくなる。所定の時間、浸漬膜１６を薬液に浸漬することによって、膜の洗浄が行われる。この場合、浸漬槽１２、薬剤導入配管３４が薬液洗浄手段として機能することになる。なお、薬液洗浄工程において、別途調製された薬液が薬剤導入配管３４を通して浸漬槽１２に導入されてもよい。
【００５１】
（４．中和工程）
薬液洗浄工程後、例えば、浸漬槽１２に中和剤導入配管３６を通して中和剤が導入されて薬液の中和処理が行われる（中和工程）。この場合、浸漬槽１２、中和剤導入配管３６が中和手段として機能することになる。
【００５２】
中和処理を確認後、浸漬槽１２から洗浄排液が排出配管２６を通して排出される。洗浄工程が終了後、膜ろ過工程に戻ればよい。
【００５３】
［洗浄方法４］
（１．加圧工程）
まず、例えば、バルブ３０、バルブ３２が閉状態とされ、気体供給装置３８によって気体が気体供給配管４０、処理水配管２４を通して浸漬膜１６の二次側から供給されて浸漬膜１６の二次側が加圧されて保持される（加圧工程）。この場合、気体供給装置３８、気体供給配管４０、処理水配管２４が加圧手段として機能することになる。加圧は、例えば、浸漬膜１６が浸漬されている水頭圧以上の圧力となるまで行わればよい。
【００５４】
これによって、浸漬膜１６の二次側に存在する液体は浸漬膜１６の一次側へと押し出される。気体は浸漬膜１６の細孔をほとんど透過しないため、浸漬膜１６の二次側の圧力を保持すれば、浸漬膜１６の二次側は気体で満たされた状態を維持することができる。
【００５５】
（２．薬液洗浄工程）
加圧工程後、浸漬槽１２に薬剤導入配管３４を通して洗浄用の薬剤が導入されて薬液が調製され、薬液中で浸漬膜１６の浸漬膜の洗浄が行われる（薬液洗浄工程）。このとき、浸漬膜１６の一次側の薬液は、浸漬膜１６の二次側へ移動しにくくなる。所定の時間、浸漬膜１６を薬液に浸漬することによって、膜の洗浄が行われる。この場合、浸漬槽１２、薬剤導入配管３４が薬液洗浄手段として機能することになる。なお、薬液洗浄工程において、別途調製された薬液が薬剤導入配管３４を通して浸漬槽１２に導入されてもよい。
【００５６】
（３．中和工程）
加圧工程後、浸漬膜１６の二次側が気体で満たされた状態で、例えば、浸漬槽１２に中和剤導入配管３６を通して中和剤が導入されて薬液の中和処理が行われる（中和工程）。この場合、浸漬槽１２、中和剤導入配管３６が中和手段として機能することになる。
【００５７】
中和処理を確認後、浸漬槽１２から洗浄排液が排出配管２６を通して排出される。洗浄工程が終了後、膜ろ過工程に戻ればよい。
【００５８】
洗浄方法３，４では、加圧手段による加圧（加圧工程）、薬液洗浄手段による洗浄（薬液洗浄工程）、中和手段による中和処理（中和工程）の順に処理が行われる。洗浄方法３では、逆洗手段による逆洗（逆洗工程）が、加圧手段による加圧（加圧工程）の前に行われる。洗浄方法３，４では、浸漬膜１６の二次側を気体で加圧して浸漬膜１６の二次側の薬液を一次側に押し出した後、浸漬膜１６の二次側を気体で満たした状態で、浸漬膜１６の薬液洗浄として、浸漬槽１２にて薬液浸漬洗浄を実施する。そして、そのまま浸漬膜１６の二次側を気体で満たした状態で中和処理を行う。薬液浸漬洗浄の前に浸漬膜１６の二次側を気体で満たした状態にしておくことで、有機物や金属等によって浸漬膜１６の二次側が汚染されることが抑制される。薬液洗浄後に膜ろ過処理を再開したとき、処理水の汚染が抑制され、浸漬膜１６の二次側に残留した薬液をブローする場合に比べて、ブローにより排出される排水量を削減することができる。
【００５９】
洗浄工程における液温度は、特に制限はなく、例えば、１０〜４０℃の範囲である。液温度が低すぎると洗浄効果が得られにくい場合がある。液温度を３０〜４０℃に上げると、洗浄効果は向上するが、液温度が高すぎると、膜の周辺部材の劣化を招いたり、液温度を上げるためのエネルギーコストがかかり、経済性が損なわれる場合がある。
【００６０】
洗浄工程において、薬液洗浄工程と加圧工程が行われればよく、上記洗浄方法１〜４に限られない。中和工程を行い、中和工程よりも前に薬液洗浄工程と加圧工程とが行われることが好ましい。洗浄方法１〜４のうち、膜の２次側の洗浄効果が高い等の点から、洗浄方法１，２が好ましく、洗浄方法１がより好ましい。
【００６１】
洗浄工程は、例えば、所定の時間間隔で実施してもよいし、所定のろ過水量の間隔で実施してもよく、特に制限されるものではない。洗浄工程は、例えば、１回／１日〜１回／週の頻度で実施すればよい。
【符号の説明】
【００６２】
１  浸漬膜ろ過装置、１０  膜ろ過装置、１２  浸漬槽、１４  処理水槽、１６  浸漬膜、１８，２０  ポンプ、２２  被処理水配管、２４  処理水配管、２６  排出配管、２８  逆洗水配管、３０，３２  バルブ、３４  薬剤導入配管、３６  中和剤導入配管、３８  気体供給装置、４０  気体供給配管、４２  圧力測定装置。
【図１】
2020131143.tif 000003